【事件の表示】
　特願２０１５−１２０７６９号「遊技機」拒絶査定不服審判事件〔平成２７年９月１０日出願公開、特開２０１５−１６３２９４号〕について、次のとおり審決する。
【結　論】
　本件審判の請求は、成り立たない。
【理　由】
第１．手続の経緯
　本願は、平成１９年２月２２日に出願した特願２００７−４１９５９号の一部を平成２４年１月３０日に新たな特許出願（特願２０１２−１６１４７号）とし、さらにその一部を平成２５年１１月５日に新たな特許出願（特願２０１３−２２８９７５号）とし、さらにその一部を平成２７年６月１６日に新たな特許出願（特願２０１５−１２０７６９号）としたものであって、平成２８年６月２８日付けで拒絶理由通知がなされ、それに対し意見書、手続補正書が提出されることなく、平成２９年１月３１日付けで拒絶査定がなされ、これに対して、同年４月２８日に拒絶査定不服審判の請求がされるとともに、同日付けで特許請求の範囲及び明細書についての手続補正がなされたものである。
　
第２．平成２９年４月２８日にされた手続補正についての補正の却下の決定
［補正の却下の決定の結論］
　平成２９年４月２８日にされた手続補正（以下、「本件補正」という。）を却下する。
［理由］
１．本件補正について
　本件補正は、特許請求の範囲の補正を含んでおり、本件補正により、本願出願時の特許請求の範囲の請求項１における
「遊技球が流下する遊技領域が形成された遊技装置と、
　発射操作に基づいて遊技球を発射する遊技球発射装置と、
　当該遊技球発射装置から発射された遊技球を前記遊技領域に向けて誘導する誘導部と、
　前記遊技球発射装置よりも遊技球の発射方向側に設けられ、前記誘導部を逆流してくる遊技球を回収する回収部と、
　前記遊技装置の遊技結果に基づいて遊技球を払い出す払出装置と、
　当該払出装置から払い出された遊技球を貯留する球受け皿と、
　前記払出装置から払い出された遊技球を前記球受け皿に向けて導く皿側通路部と、
　前記回収部にて回収した遊技球を前記球受け皿に向けて導く回収側通路部と
を備えたことを特徴とする遊技機。」（以下「補正前請求項１」という。）
は、審判請求時に提出された手続補正書（平成２９年４月２８日付け）における
「遊技球が流下する遊技領域が形成された遊技装置と、
　発射操作に基づいて遊技球を発射する遊技球発射装置と、
　当該遊技球発射装置から発射された遊技球を前記遊技領域に向けて誘導する誘導部と、
　前記遊技球発射装置よりも遊技球の発射方向側に設けられ、前記誘導部を逆流してくる遊技球を回収する回収部と、
　前記遊技装置の遊技結果に基づいて遊技球を払い出す払出装置と、
　当該払出装置から払い出された遊技球を貯留する球受け皿と、
　前記回収部にて回収した遊技球を前記球受け皿に向けて導く回収側通路部と
、
　
前記遊技装置を有するベース体と、
　
当該ベース体に対して前方に回動可能に設けられ、前記球受け皿を有する遊技機前面ユニットと、
　
当該遊技機前面ユニットの一部として設けられ、入口部にて受けた遊技球を前記球受け皿に流出させる第１通路部と、
　
当該第１通路部よりも上流側を構成し、前記払出装置から払い出された遊技球を前記入口部に流出させる第２通路部と、
　
当該第２通路部の出口部に対して出没可能に設けられ、前記遊技機前面ユニットが開放された場合に前記第２通路部からの遊技球の流出を阻止する阻止部材と、
　
前記遊技機前面ユニットが開放されたことを検知する開放検知手段と、
　
前記遊技機前面ユニットが開放されたことが前記開放検知手段により検知された場合に所定処理を実行する処理実行手段と、
を備え、
　
前記阻止部材は、前記遊技機前面ユニットが開放されて前記第２通路部からの遊技球の流出を阻止している状態において前記遊技機前面ユニットが閉鎖される場合、当該遊技機前面ユニットに押圧されることで前記第２通路部からの遊技球の流出を阻止しない状態となるものであり、
　
前記第１通路部の前記入口部は、上方に開放して形成され、前記第２通路部の出口部は、前記遊技機前面ユニットを閉鎖した状態において前記入口部と上下に対向するように下方に開放して形成され、
　
前記第２通路部は、前記出口部付近において当該出口部に向けて下り傾斜となった傾斜部を有する
に補正された（下線は、補正箇所を明示するために当審にて付した。）。
　
２．補正の適否
（１）本件補正
　本件補正は、特許請求の範囲について、以下に挙げる補正事項を含むものである。（以下「補正事項ア」などという。）
ア　次の各手段を追加する補正
「前記遊技装置を有するベース体と、
　当該ベース体に対して前方に回動可能に設けられ、前記球受け皿を有する遊技機前面ユニットと、
　当該遊技機前面ユニットの一部として設けられ、入口部にて受けた遊技球を前記球受け皿に流出させる第１通路部と、
　当該第１通路部よりも上流側を構成し、前記払出装置から払い出された遊技球を前記入口部に流出させる第２通路部と、
　当該第２通路部の出口部に対して出没可能に設けられ、前記遊技機前面ユニットが開放された場合に前記第２通路部からの遊技球の流出を阻止する阻止部材」
　
イ　次の各手段を追加する補正
「前記遊技機前面ユニットが開放されたことを検知する開放検知手段と、
　前記遊技機前面ユニットが開放されたことが前記開放検知手段により検知された場合に所定処理を実行する処理実行手段」
　
ウ　上記補正事項アの追加された手段のうち「第１通路部」、「第２通路部」についてさらに以下の事項を特定する補正
「前記第１通路部の前記入口部は、上方に開放して形成され、前記第２通路部の出口部は、前記遊技機前面ユニットを閉鎖した状態において前記入口部と上下に対向するように下方に開放して形成され、
　前記第２通路部は、前記出口部付近において当該出口部に向けて下り傾斜となった傾斜部を有する」
　
エ　上記補正事項アの追加された手段のうち「阻止部材」についてさらに以下の事項を特定する補正
「前記阻止部材は、前記遊技機前面ユニットが開放されて前記第２通路部からの遊技球の流出を阻止している状態において前記遊技機前面ユニットが閉鎖される場合、当該遊技機前面ユニットに押圧されることで前記第２通路部からの遊技球の流出を阻止しない状態となるものであ（る）」
　
（２）新規事項の有無についての検討
ア　補正事項アについて
　上記補正事項アの「ベース体」、「遊技機前面ユニット」、「阻止部材」については、それぞれ願書に最初に添付された明細書（以下「当初明細書」という。）に記載された「本体枠１３」（【０１０６】）、「前扉枠１４」（【０１０６】）、「シャッター機構２９１」（【０１８０】、図２２）が、各々の特定事項を含め対応する。
　また、上記補正事項アの「第１通路部」及びその「入口部」には、それぞれ当初明細書に記載された「前扉側上皿通路部２７２」・「前扉側下皿通路部２７３」（【０１５８】）、及び「受口部２７５」（【０１６８】）が、各々の特定事項を含め対応する。
　また、上記補正事項アの「第２通路部」及びその「出口部」には、それぞれ当初明細書に記載された「本体側上皿通路部２６２」・「本体側下皿通路部２６３」（【０１５８】）、及び「球出口２６２ａ」・「球出口２６３ａ」（【０１７０】）が、各々の特定事項を含め対応する。
　よって、上記補正事項アは、願書に最初に添付した明細書又は図面（以下「当初明細書等」という。）に記載した事項の範囲内のものである。
　
イ　補正事項イについて
　記補正事項イの「開放検知手段」、「処理実行手段」については、当初明細書に記載された「前扉開放スイッチ７８」（【０１１７】）、「払出停止処理を実行する主制御基板３０１のＣＰＵ３１１」（【０２４２】、【０２４５】〜【０２４６】）が、各々の特定事項を含め対応する。
　よって、上記補正事項イは、当初明細書等に記載された事項の範囲内のものである。
　
ウ　補正事項ウについて
　「第１通路部」、「第２通路部」個々の形態及び前者の「入口部」と後者の「出口部」との関係に関する上記補正事項イに係る特定事項には、願書に最初に添付した図面（特に【図１４】・【図１７】）及びそれに対応する当初明細書の記載事項（特に【０１９５】〜【０１９６】、【０２２１】）が対応する。
　よって、上記補正事項ウは、当初明細書等に記載された事項の範囲内のものである。
　
エ　補正事項エについて
　「阻止部材」の動作に関する上記補正事項ウに係る特定事項には、願書に最初に添付した図面（特に【図２２】）及びそれに対応する当初明細書の記載事項（特に【０１９０】〜【０１９１】）が対応する。
　よって、上記補正事項エは、当初明細書等に記載された事項の範囲内のものである。
　
オ　以上のとおりであるから、上記補正事項ア〜エはいずれも、当初明細書等に記載した事項の範囲内でなされたものである。
　
（３）補正の目的要件違反についての検討
　上記補正事項イは、上記補正前請求項１に記載された発明が備えない「開放検知手段」、及び「処理実行手段」なる各手段を新たに加入するものである。
　したがって、当該各補正は、補正前請求項１に記載された発明を減縮するものではあっても、該発明を特定するために必要な事項を限定するものにはあたらない。
　また、発明が解決しようとする課題は、補正前請求項１に係る発明では、【０００３】の記載を参酌すると、発射後誘導部を逆流してくる遊技球（戻り球）を球受け皿へ回収することで、発射装置まで戻って発射装置を破損しないようにする点にあったといえるところ、上記補正事項ア〜エは、【００７４】〜【００７５】に記載された「手段２４．」及び【００４５】〜【００４８】に記載された「手段１３．」に関連し、払出装置から球受け皿への、遊技機本体内から前扉内部を介した供給路による遊技球の供給において、前扉解放時に遊技球を零れにくくすると共に、遊技球が遊技機外部へ流出してしまうことを抑制すること（【００７５】、【００４７】）にあるといえる。よって、補正前請求項１に係る発明と本件補正後請求項１に係る発明とでは、解決しようとする課題が同一であるとはいえない。
　よって、上記補正事項イは、特許法第１７条の２第５項第２号に掲げられた「特許請求の範囲の限定的減縮」を目的とするものとはいえない。
　また、上記補正事項イが、同項第１、３、４号に掲げるいずれの事項を目的とするものでもないことは明らかである。
　
　したがって、上記補正事項イは、特許法第１７条の２第５項の各号に掲げる事項を目的とするものではない。
　よって、同法第１５９条第１項において読み替えて準用する同法第５３条第１項の規定により却下すべきものである。
　
　しかしながら、事案に鑑み、本件補正が特許法第１７条の２第５項の規定に違反しないものと仮定して、本件補正により補正された請求項１に記載された発明（以下、「本件補正発明」という。）が特許出願の際独立して特許を受けることができるものであるかについて、以下検討を続けることとする。
　
３．本件補正発明の独立特許要件についての検討
　そこで、本件補正後の特許請求の範囲の請求項１に係る発明は、その請求項１に記載された事項により特定されるものと認められるところ、その請求項１に係る発明（本件補正発明）が特許出願の際独立して特許を受けることができるものであるか（特許法第１７条の２第６項において準用する同法第１２６条第７項の規定に適合するか）について以下に検討する。
　
（１）本件補正発明について
　本件補正発明は、上記１．の本件補正の概要に示した次のとおりのものである（Ａ〜Ｑは、分説のため当審にて付与した。以下「構成Ａ」などという。）。
「Ａ　遊技球が流下する遊技領域が形成された遊技装置と、
Ｂ　発射操作に基づいて遊技球を発射する遊技球発射装置と、
Ｃ　当該遊技球発射装置から発射された遊技球を前記遊技領域に向けて誘導する誘導部と、
Ｄ　前記遊技球発射装置よりも遊技球の発射方向側に設けられ、前記誘導部を逆流してくる遊技球を回収する回収部と、
Ｅ　前記遊技装置の遊技結果に基づいて遊技球を払い出す払出装置と、
Ｆ　当該払出装置から払い出された遊技球を貯留する球受け皿と、
Ｇ　前記回収部にて回収した遊技球を前記球受け皿に向けて導く回収側通路部と
、
Ｈ　
前記遊技装置を有するベース体と、
Ｉ　
当該ベース体に対して前方に回動可能に設けられ、前記球受け皿を有する遊技機前面ユニットと、
Ｊ　
当該遊技機前面ユニットの一部として設けられ、入口部にて受けた遊技球を前記球受け皿に流出させる第１通路部と、
Ｋ　
当該第１通路部よりも上流側を構成し、前記払出装置から払い出された遊技球を前記入口部に流出させる第２通路部と、
Ｌ　
当該第２通路部の出口部に対して出没可能に設けられ、前記遊技機前面ユニットが開放された場合に前記第２通路部からの遊技球の流出を阻止する阻止部材と、
Ｍ　
前記遊技機前面ユニットが開放されたことを検知する開放検知手段と、
Ｎ　
前記遊技機前面ユニットが開放されたことが前記開放検知手段により検知された場合に所定処理を実行する処理実行手段と、を備え、
Ｏ　
前記阻止部材は、前記遊技機前面ユニットが開放されて前記第２通路部からの遊技球の流出を阻止している状態において前記遊技機前面ユニットが閉鎖される場合、当該遊技機前面ユニットに押圧されることで前記第２通路部からの遊技球の流出を阻止しない状態となるものであり、
Ｐ　
前記第１通路部の前記入口部は、上方に開放して形成され、前記第２通路部の出口部は、前記遊技機前面ユニットを閉鎖した状態において前記入口部と上下に対向するように下方に開放して形成され、
Ｑ　
前記第２通路部は、前記出口部付近において当該出口部に向けて下り傾斜となった傾斜部を有する
Ｒ　を特徴とする遊技機。」
　
（２）同日出願の請求項１に係る発明
　本願と同一出願人による同日の出願である特願２０１３−２５３７９４号（特許第５８０４０３５号公報）の請求項１に係る発明（以下、「同日出願発明」という。）は、その掲載公報の特許請求の範囲の請求項１に記載された事項により特定される次のとおりのものである。（記号ａ〜ｍは当審にて付与。以下「構成ａ」などという。）
「【請求項１】
ａ　遊技が実行される遊技装置を有するベース体と、
ｂ　前記遊技装置における遊技結果に基づいて遊技球を払い出す払出装置と、
ｃ　当該払出装置から払い出された遊技球を貯留する球受け皿と、
ｄ　前記ベース体に対して前方に回動可能に設けられ、前記球受け皿を有する遊技機前面ユニットと、
ｅ　当該遊技機前面ユニットの一部として設けられ、入口部にて受けた遊技球を前記球受け皿へ導く第１通路部と、
ｆ　当該第１通路部よりも上流側を構成し、前記払出装置から払い出された遊技球を前記入口部に導く第２通路部と、
ｇ　当該第２通路部の出口部に対して出没可能に設けられ、前記遊技機前面ユニットが開放された場合に前記第２通路部からの遊技球の流出を阻止する阻止部材と、
ｈ　前記遊技機前面ユニットが開放されたことを検知する開放検知手段と、
ｉ　前記遊技機前面ユニットが開放されたことが前記開放検知手段により検知された場合に所定処理を実行する処理実行手段と、を備え、
ｊ　前記阻止部材は、前記遊技機前面ユニットが開放されて前記第２通路部からの遊技球の流出を阻止している状態において前記遊技機前面ユニットが閉鎖される場合、当該遊技機前面ユニットに押圧されることで前記第２通路部からの遊技球の流出を阻止しない状態となるものであり、
ｋ　前記第１通路部の前記入口部は、上方に開放して形成され、前記第２通路部の出口部は、前記遊技機前面ユニットを閉鎖した状態において前記入口部と上下に対向するように下方に開放して形成され、
ｌ　前記第２通路部は、前記出口部付近において当該出口部に向けて下り傾斜となった傾斜部を有する
ｍ　ことを特徴とする遊技機。」
　
（３）刊行物１に記載された発明
ア　原査定の拒絶理由において提示された、本願の出願前に頒布された刊行物である特開２００３−１４４７２０号公報（以下「刊行物１」という。）には、図面と共に次の事項が記載されている（下線は当審にて付した。以下同じ。）。
（ア）「【０００１】
【発明の属する技術分野】この発明は、ファール球導出路と球抜き導出路とを導出される球が相互に干渉しないようにして球詰まりを防止するパチンコ機に関するものである。」
　
（イ）「【０００８】パチンコ機の全体構造
図１乃至図３において、パチンコ機は側枠（木枠）１と、該側枠１の一側に開閉自在に軸支されかつ合成樹脂製前面枠体２と、該
前面枠体の前面上部には遊技盤５の遊技領域
前面板３と、その前面下部に開閉自由に設けられかつ打球供給皿８（上皿）が固着される第一前板７と、該第一前板の下方の前面枠体２に球受け下皿１０（下皿）が固定される第二前板９
が設けられ
・・・
【００１０】前面枠体
図３および図４に基づいて、前面枠体２を説明する。前面枠体２は合成樹脂によって一体成形されるもので、その上部に遊技盤の遊技領域を規制する円形渦巻き状の誘導レールの外周面に合致する円形の開口２１を有する主枠体２０と、主枠体２０の前面側の上部の表示体収容部に装着する表示体発光部ホルダー３７と、遊技盤５の誘導レール１３の下部前面を覆う球誘導レールカバー体２２が形成されている。該前面枠体２の下部の板状部２３には、第一前板７の背面に相当する位置に、発射レールユニット収容部２６が形成されて打球発射レール２５等からなる発射レールユニット２４が装着され、その発射レールユニット２４とは反対側に第一前板７の前面に取付ける打球供給皿８に背面の機構基板６に備えたセーフ球検出器の信号により賞球払出し装置から賞球導出経路を通じて払出される賞球を排出する賞球ユニット収容部２７と、球嵌まり込み防止縁２８ａを有する球嵌まり込み防止板２８とが構成されている。また、第二前板９の背面に相当する位置には、背面の機構基板６に備えた賞球払出し装置から払出される賞球で打球供給皿がいっぱいとなって溢れた球を導出する溢れ球通路７３が球受け下皿収容部５４の溢れ球導出口３０に連通して設けられている。その右側には前面枠体２の背面側に取付けられる打球発射装置４６の前面側調整部露出用透孔３３が透設されている。
【００１１】賞球ユニット収容部２７の賞球導出口２９は、機構基板６の背面に備えられる賞球払出し装置から払出される賞球を排出する賞球通路６７に賞球流出口７２が関連設置され、
セーフ球入賞時に賞球払出し装置から払出される賞球が賞球流出口７２
打球供給皿８内の賞球排出口５３から排出される。又、
球受け下皿１０まで、上皿が賞球で一杯になり機構基板の賞球流出口７２より溢れた球を導出する溢れ球通路７３、溢れ球導出口３０が構成され、第二前板９の球受け下皿１０内の溢れ球排出口５５と連通されている。
【００１２】図５、図７および図８に示すように、この前面枠体２において、
打球発射レール２５より打ち出された打球への付勢力が少ないファール球を導出するファール球導出路３１が、
打球発射レール２５の打球誘導面下方に球受け下皿１０と連通して設けられ、
ファール球導出路３１は前面枠体２の発射レール２５と、遊技盤５に設けられた球誘導レール１３との間に、背面のアウト球排出通路５０と隔壁５１で分離して前面側に凹状、筒状等に
　
（ウ）「【００１６】
前面枠体２の背面には打球発射装置４６の
打球発射装置６０は
操作レバーの操作により起動するモータの駆動により
打球槌４８が付勢手段に抗して弾発され、前記発射レール２５の発射部位に第一前板７の背面に取付けた打球供給装置１２０から発射レール２５の発射位置にパチンコ球が一球づつ供給され、打球槌４８の作動で打球が発射される。
・・・
【００１８】球払出し駆動ユニット７０の下流側の賞球経路には、前面枠体２の賞球導出口２９に通ずる基板正面側に開口した賞球流出口７２が設けられ、かつその賞球経路に連続して賞球流出口７２の側方から前面枠体２の溢れ球導出口３０まで溢れ球通路７３が設けられ、合成樹脂製覆い蓋部材７５が覆設され、
球払出し装置７１から払出された賞球は、
賞球通路
落下し
溢れ球通路７３に溢れて下方に流下し
下皿１０に導かれる。
　
（エ）「【００２７】このように構成したパチンコ機のパチンコ球の導出路の作用を詳細に説明する。機構基板６の賞球払出し装置から賞球排出経路を通じて払出される賞球は、賞球流出口７２から前面枠体２の賞球導出口２９を通じて第一前板７の打球供給皿８に払出され、その打球供給皿が賞球で一杯となって、賞球流出口７２から溢れた溢れ球は側方の溢れ球通路７３を通じて溢れ球導出口３０より溢れ球排出口５５を通じて球受け下皿１０へ放出される。
打球発射レールより打ち出された打球への付勢力が少ないファール球はファール球誘導路３１を介して球受け下皿１０へ放出され
　
イ　また、刊行物１の図面には以下の事項が記載されている。
（ア）【図１】には、左斜め上方へ伸びる打球発射レール２５の球打ち出し方向延長線上に遊技盤５の誘導レール１３が、該球打ち出し方向に沿って左斜め上方からほぼ鉛直上方、次いで右斜め上方へとほぼ円弧状に設けられること、前記打球発射レール２５と遊技盤５の誘導レール１３との間にファール球導出路３１の上端がほぼ鉛直上方に開口していること、前記誘導レール１３の球打ち出し方向は「遊技盤５」と指示される釘等が設けられた領域、すなわち遊技領域に連通していること、が記載されている。
　
ウ　上記アの各記載事項及び上記イで認定した図面の記載事項から、以下の事項が導かれる。
（あ）上記【００１０】には、「遊技盤の遊技領域」なる記載があることから、刊行物１には、「遊技領域」を備える「遊技盤」が記載されているといえる。
　また、パチンコ遊技機において「遊技領域」が打ち出された遊技球が流下する領域であることは自明である。
　よって、刊行物１には、「遊技球が流下する遊技領域を有する遊技盤５」が記載されているといえる。
　
（い）上記【００１６】には、「打球発射装置６０は・・・操作レバーの操作により起動するモータの駆動により・・・打球槌４８が付勢手段に抗して弾発され、前記発射レール２５の発射部位に第一前板７の背面に取付けた打球供給装置１２０から発射レール２５の発射位置にパチンコ球が一球づつ供給され、打球槌４８の作動で打球が発射される。」なる記載がある。ここで「打球発射装置６０」は、同段落冒頭の「前面枠体２の背面には打球発射装置４６の・・・」なる記載などからみて、「打球発射装置４６」の誤記と認められる。
　前記記載から、刊行物１には、「操作レバーの操作により遊技球を発射する打球発射装置４６」が記載されているといえる。
　
（う）上記イ（ア）のとおり上記【図１】には、「打球発射レール２５の球打ち出し方向延長線上に遊技盤５の誘導レール１３が・・・設けられ・・・誘導レール１３の球打ち出し方向は・・・遊技領域に連通している」ことが記載されており、打球発射レール２５、誘導レール１３，遊技領域と配列と遊技球の発射される方向の関係から、打球発射装置４６の打球発射レール３５から発射された遊技球は、誘導レール１３により遊技領域に誘導されるといえる。
　よって、刊行物１には、「打球発射装置４６の発射レール２５から発射された遊技球を遊技領域に誘導する誘導レール１３」が記載されているといえる。
　
（え）上記【００１２】には、「ファール球導出路３１は前面枠体２の発射レール２５と、遊技盤５に設けられた球誘導レール１３との間に・・・形成される。」なる記載があり、ここでの「ファール球」について同じく上記【００１２】には「打球発射レール２５より打ち出された打球への付勢力が少ないファール球」なる記載がある。また、上記【００２７】には、「打球発射レールより打ち出された打球への付勢力が少ないファール球はファール球誘導路３１を介して球受け下皿１０へ放出され」なる記載がある。
　ここで、前記打球発射レール２５と遊技盤５の誘導レール１３との間にファール球導出路３１の上端がほぼ鉛直上方に開口していることは、上記イ（ア）で認定したとおりであり、該打球発射レール２５と遊技盤５の誘導レール１３との間が打球発射装置４６の打球発射レールよりも遊技球の発射方向側に位置することは明らかである。
　また、前記誘導レール１３は、「左斜め上方へ伸びる打球発射レール２５の球打ち出し方向延長線上」であって「該球打ち出し方向に沿って左斜め上方からほぼ鉛直上方、次いで右斜め上方へとほぼ円弧状」に延びることから（上記イ（ア））、打球発射装置４６の打球発射レール２５から打ち出された遊技球のうち「打球発射レールより打ち出された打球への付勢力が少ないファール球」は、上記誘導路１３に沿って上昇するも、遊技領域への開口に達せずに落下に転じ、該誘導路１３と前記打球発射レール２５との間の領域まで逆流して戻ってくることが明らかであり、その際に遊技球は、打球発射装置４６よりも遊技球の発射方向側である前記「前面枠体２の発射レール２５と、遊技盤５に設けられた球誘導レール１３との間に・・・形成される」「ファール球導出路３１」「の上端」の「開口」に回収され、「ファール球誘導路３１を介して球受け下皿１０へ放出され」るといえる。
　よって、刊行物１には、「打球発射装置４６の打球発射レール２５よりも遊技球の発射方向側に位置し、該誘導路１３と前記打球発射レール２５との間の領域まで逆流して戻ってくる遊技球を回収する開口」、及び「前記開口で回収した遊技球を球受け下皿１０へ放出する、ファール球導出路３１」が記載されているといえる。
　
（お）上記【０００８】には、「前面枠体の前面上部には・・・前面板３と、その前面下部に開閉自由に設けられかつ打球供給皿８（上皿）が固着される第一前板７と、該第一前板の下方の前面枠体２に球受け下皿１０（下皿）が固定される第二前板９・・・が設けられ」なる記載があり、刊行物１には、「打球供給皿８（上皿）」と「球受け下皿１０（下皿）」とを設けることが記載されているといえる。また、上記【００１１】には、「セーフ球入賞時に賞球払出し装置から払出される賞球が・・・打球供給皿８内の賞球排出口５３から排出される。又、・・・球受け下皿１０まで、上皿が賞球で一杯になり機構基板の賞球流出口７２より溢れた球を導出する溢れ球通路７３、溢れ球導出口３０が構成され、第二前板９の球受け下皿１０内の溢れ球排出口５５と連通されている」なる記載があることから、前記「球受け下皿１０（下皿）」は、賞球払出し装置から払出された遊技球が流れ込み貯留される手段であるといえる。
　よって、刊行物１には、「セーフ球入賞時に賞球即ち遊技球を払出す賞球払出し装置」、及び「賞球払出し装置から払い出された遊技球を貯留する球受け下皿１０」が記載されているといえる。
　
（か）上記【００１１】には、「・・・賞球払出し装置から払出される賞球が・・・溢れ球通路７３、・・・球受け下皿１０・・・と連通されている。」なる記載があることから、前記「溢れ球通路７３」が、賞球払出し装置から払出される賞球を球受け下皿１０へと導くといえる。
　よって、刊行物１には、「賞球払出し装置から払出される賞球を球受け下皿１０へと導く溢れ球通路７３」が記載されているといえる。
　
（き）上記【０００１】には、刊行物１に記載された発明が「パチンコ機」に関するものであることが記載されているといえる。
　
エ　上記アの各記載事項、上記イ・ウの認定事項から、刊行物１には次の発明（以下「刊行物１発明」という。）が記載されていると認められる（１ａ〜１ｓは分説のため付与。）
　
「１ａ　遊技球が流下する遊技領域を有する遊技盤５と、（ウ（あ））
１ｂ　操作レバーの操作により遊技球を発射する打球発射装置４６と、（ウ（い））
１ｃ　打球発射装置４６の発射レール２５から発射された遊技球を遊技領域に誘導する誘導レール１３と、（ウ（う））
１ｄ　打球発射装置４６の打球発射レール２５よりも遊技球の発射方向側であり該誘導路１３と前記打球発射レール２５との間の領域に位置し、逆流して戻ってくる遊技球を回収する開口と、（ウ（え））
１ｅ　セーフ球入賞時に賞球即ち遊技球を払出す賞球払出し装置と、（ウ（お））
１ｆ　賞球払出し装置から払い出された遊技球を貯留する球受け下皿１０と、（ウ（お））
１ｓ　賞球払出し装置から払出される賞球を球受け下皿１０へと導く、賞球通路と溢れ球通路７３と、（ウ（か））
１ｇ　前記開口で回収した遊技球を球受け下皿１０へ放出する、ファール球導出路３１と、（ウ（え））
１ｒ　を備えるパチンコ機。（ウ（き））」
　
（４）刊行物２に記載された発明
ア　原査定の拒絶理由において提示された、本願の出願前に頒布された刊行物である特開２００６−１４９８０７号公報（以下「刊行物２」という。）には、図面と共に次の事項が記載されている（下線は当審にて付した。以下同じ。）。
（ア）「【技術分野】
【０００１】
　本発明は、賞球が払い出される受け皿とファール球が返却される受け皿とを１つの皿としたパチンコ遊技機に関する。」
　
（イ）「【００１９】
　遊技盤取付枠２には、遊技盤１８が取着されている。
遊技盤１８には、遊技球を誘導する外レール１７及び内レール１９（図２には図示せず。図１参照）が取着され、外レール１７の上部と、内レール１９とによって囲まれた領域が、遊技領域１８ａとされている。
【００２０】
　遊技盤取付枠２の前面側には、遊技盤１８の下方位置に、打球発射装置の一部を構成する発射機構部（図示せず）が装着されている。遊技盤取付枠２の後面側には、図１の破線で示す位置に、遊技球払出し装置３０が装着されている。遊技球払出し装置３０の下流側には、払出し球経路部材４（図４にその先端部を示す。）が連結され、払出し球経路部材４は遊技盤取付枠２の後面側から前面側に延設されている。」
　
（ウ）「【００２２】
　前面枠３の下部には、中央部から右側部にかけて、球抜きボタン１１、球貸しボタン１２、返却ボタン１３、演出ボタン１４が配設されている。
前面枠３の下部の右側部には、打球発射装置の一部を構成する打球発射ハンドル１０が装着されている
【００２３】
　また、前面枠３の下部には、中央部から左側部にかけて、前方に膨出する受け皿７が、前面枠３から取り外し不可能に設けられている。詳しくは、図３に示すように、受け皿７の膨出壁部７７の外側部は、前面枠３に一体形成されている。
受け皿７の後壁部７５には
ファール球出口７４
が
開口している
　
（エ）「【００２９】
　
通路ユニット２０は、ファール球回収部２９を有している。ファール球回収部２９は、ファール球通路２２の入口部（ファール球通路２２の入口２２ａを形成する部分）に相当する。前面枠３と遊技盤取付枠２とを閉じ合わせたとき、ファール球回収部２９は、打球誘導通路２４の下方に配置されて、入口２２ａは上方すなわち打球誘導通路２４に向かって開口する。ファール球通路２２の出口２２ｂは、ファール球出口７４に連結されている。
　
（オ）「【００３２】
　そして、遊技者による球抜きボタン１１の押下等、所定の球抜き操作がなされると、球抜き口７１が開放され、
受け皿７に貯留されていた遊技球
　
（カ）「【００３５】
　
遊技者の発射操作により、受け皿７内の遊技球は、順次、遊技球誘導レール７２を通って打球発射装置内に入り、打球されて打球誘導通路２４を上昇し、戻り防止片２７を越えて遊技領域１８ａに至る。遊技球が遊技領域１８ａ内の所定の入賞口に入って表示装置に特定の図柄が表示される等、所定の入賞状態が発生すると、遊技球払出し装置３０から所定数の遊技球（賞球）が払い出される。払い出された遊技球は、払出し球経路部材４内の払出し球経路を通って、払出し球通路２１に入る。そして、払出し球通路２１を通って、払出し口７３から受け皿７に排出される。
　
（キ）「【００３７】
　また、
打球発射装置から発射されたものの
遊技領域１８ａに達しなかったファール球は、打球誘導通路２４を落下し、入口２２ａからファール球通路２２に入る（すなわち、ファール球回収部２９に回収される）
そして、ファール球通路２２を
通って
受け皿７に排出される
　
イ　上記アの各記載事項から、以下の事項が導かれる。
（あ）上記【００１９】には、「遊技盤１８には、遊技球を誘導する外レール１７及び内レール１９（図２には図示せず。図１参照）が取着され、外レール１７の上部と、内レール１９とによって囲まれた領域が、遊技領域１８ａとされている。」と記載され、【００３５】には、「受け皿７内の遊技球は、順次、遊技球誘導レール７２を通って打球発射装置内に入り、打球されて打球誘導通路２４を上昇し、戻り防止片２７を越えて遊技領域１８ａに至る」と記載されており、「遊技領域１８ａ」には「打球され」た「遊技球」が「打球誘導通路２４を上昇」した後に「至る」すなわち入るのであるから、該「遊技領域１８ａ」に入った遊技球は該「遊技領域１８ａ」を流下することが明らかである。
　よって、刊行物２には「遊技球が流下する遊技領域１８ａが形成された遊技盤１８」が記載されているといえる。
　
（い）上記【００３５】には、「遊技者の発射操作により、受け皿７内の遊技球は、順次、・・・打球発射装置内に入り、打球され」なる記載がある。また、上記【００３７】には「打球発射装置から発射されたものの・・・遊技領域１８ａに達しなかったファール球」なる記載があり、ここでの「ファール球」が遊技球であることは明らかである。
　よって、刊行物２には、「発射操作により遊技球を発射する打球発射装置」が記載されているといえる。
　
（う）上記【００３５】には、「遊技者の発射操作により、受け皿７内の遊技球は、順次、・・・打球発射装置内に入り、打球されて打球誘導通路２４を上昇し、・・・遊技領域１８ａに至る。」なる記載がある。
　ここで、打球された遊技球は「打球誘導通路２４を上昇し」て「遊技領域１８ａに至る」のであるから、「打球誘導通路２４」が発射された遊技球を打球発射装置から遊技領域１８ａまで誘導しているといえる。
　よって、この【００３５】の記載事項と、上記（う）で引用した【００３７】の記載事項とから、刊行物２には、「打球発射装置から発射された遊技球を遊技領域１８ａに向けて誘導する打球誘導通路２４」が記載されているといえる。
　
（え）上記【００２９】には、「通路ユニット２０は、ファール球回収部２９を有している。ファール球回収部２９は、ファール球通路２２の入口部（ファール球通路２２の入口２２ａを形成する部分）に相当する。前面枠３と遊技盤取付枠２とを閉じ合わせたとき、ファール球回収部２９は、打球誘導通路２４の下方に配置されて、入口２２ａは上方すなわち打球誘導通路２４に向かって開口する。」なる記載があり、ここでの「打球誘導通路２４」は上記（え）で認定したとおり「打球発射装置から発射された遊技球を遊技領域１８ａに向けて誘導する」ものであるから、打球発射装置よりも発射方向側に位置することが明らかである。よって、該打球誘導通路２４に向かって開口するファール球回収部２９の入口２２ａは、打球発射装置よりも発射方向側に位置するといえる。
　また、上記【００３７】には「打球発射装置から発射されたものの・・・遊技領域１８ａに達しなかったファール球は、打球誘導通路２４を落下し、入口２２ａからファール球通路２２に入る（すなわち、ファール球回収部２９に回収される）。そして、ファール球通路２２を・・・通って・・・受け皿７に排出される」なる記載がある。ここで、「ファール球」とは「打球発射装置から発射されたものの・・・遊技領域１８ａに達」せず「打球誘導通路２４を落下」してくる遊技球のことであり、上記【００３５】に「打球されて打球誘導通路２４を上昇し」なる記載があるとおり発射された遊技球は打球誘導通路２４を上昇するのであるから、打球誘導通路２４を遊技球が落下することは、打球誘導通路２４を遊技球が逆流することであるといえる。
　よって、刊行物２には、「打球発射装置よりも発射方向側に位置し、打球誘導通路２４を逆流してくる遊技球を回収する入口２２ａ」、及び「前記入口２２ａから回収した遊技球が受け皿７に排出される、ファール球回収部２９とファール球通路２２」が記載されているといえる。
　
（お）上記【００３５】には、「遊技球が遊技領域１８ａ内の所定の入賞口に入って表示装置に特定の図柄が表示される等、所定の入賞状態が発生すると、遊技球払出し装置３０から所定数の遊技球（賞球）が払い出される。払い出された遊技球は、払出し球経路部材４内の払出し球経路を通って、払出し球通路２１に入る。そして、払出し球通路２１を通って、払出し口７３から受け皿７に排出される。」なる記載がある。
　この記載から、刊行物２には、「遊技球が遊技領域１８ａ内の所定の入賞口に入って表示装置に特定の図柄が表示される等、所定の入賞状態が発生すると、所定数の遊技球を払い出す遊技球払出し装置３０」、「遊技球払出し装置３０から払い出された遊技球が排出される受け皿７」、及び「遊技球払出し装置３０から払い出された遊技球を受け皿７に排出する払出し球通路２１」が記載されているといえる。
　
（か）上記【０００１】には、刊行物２に記載された発明がパチンコ遊技機に関するものであることが記載されているといえる。
　
ウ　上記アの各記載事項、イの認定事項から、刊行物２には次の発明（以下「刊行物２発明」という。）が記載されていると認められる（２ａ〜２ｓは分説のため付与。）
　
「２ａ　遊技球が流下する遊技領域１８ａが形成された遊技盤１８と、（イ（あ））
２ｂ　発射操作により遊技球を発射する打球発射装置と、（イ（い））
２ｃ　打球発射装置から発射された遊技球を遊技領域１８ａに向けて誘導する打球誘導通路２４と、（イ（う））
２ｄ　打球発射装置よりも発射方向側に位置し、打球誘導通路２４を逆流してくる遊技球を回収する入口２２ａと、（イ（え））
２ｅ　遊技球が遊技領域１８ａ内の所定の入賞口に入って表示装置に特定の図柄が表示される等、所定の入賞状態が発生すると、所定数の遊技球を払い出す遊技球払出し装置３０と、（イ（お））
２ｆ　遊技球払出し装置３０から払い出された遊技球が排出される受け皿７と、（イ（お））
２ｓ　遊技球払出し装置３０から払い出された遊技球を受け皿７に排出する払出し球通路２１と、（イ（お））
２ｇ　前記入口２２ａから回収した遊技球が受け皿７に排出される、ファール球回収回収部２９とファール球通路２２と、（イ（え））
２ｒ　を備える、パチンコ遊技機。（イ（か））」
　
（５）対比
ア　一致点
　本件補正発明の上記構成Ｅ、Ｆ、Ｉ、Ｌ、Ｍ、Ｎ、Ｏ、Ｐ、Ｑ、Ｒが、それぞれ同日出願発明の上記構成ｂ、ｃ、ｄ、ｇ、ｈ、ｉ、ｊ、ｋ、ｌ、ｍに一致することは明らかである。
　すなわち、両発明は、共に下記構成を備える点で一致する。
「Ｅ　前記遊技装置の遊技結果に基づいて遊技球を払い出す払出装置と、
Ｆ　当該払出装置から払い出された遊技球を貯留する球受け皿と、
Ｉ　当該ベース体に対して前方に回動可能に設けられ、前記球受け皿を有する遊技機前面ユニットと、
Ｌ　当該第２通路部の出口部に対して出没可能に設けられ、前記遊技機前面ユニットが開放された場合に前記第２通路部からの遊技球の流出を阻止する阻止部材と、
Ｍ　前記遊技機前面ユニットが開放されたことを検知する開放検知手段と、
Ｎ　前記遊技機前面ユニットが開放されたことが前記開放検知手段により検知された場合に所定処理を実行する処理実行手段と、を備え、
Ｏ　前記阻止部材は、前記遊技機前面ユニットが開放されて前記第２通路部からの遊技球の流出を阻止している状態において前記遊技機前面ユニットが閉鎖される場合、当該遊技機前面ユニットに押圧されることで前記第２通路部からの遊技球の流出を阻止しない状態となるものであり、
Ｐ　前記第１通路部の前記入口部は、上方に開放して形成され、前記第２通路部の出口部は、前記遊技機前面ユニットを閉鎖した状態において前記入口部と上下に対向するように下方に開放して形成され、
Ｑ　前記第２通路部は、前記出口部付近において当該出口部に向けて下り傾斜となった傾斜部を有すること
Ｒ　を特徴とする遊技機。」
　
イ　相違点
　本件補正発明と同日出願発明とは、下記の各点で一応相違する。
（ア）相違点１
　本件補正発明の上記構成Ａ、Ｂ、Ｃ、Ｄ、Ｇに対応する構成を同日出願発明が明示的には備えない点。
　すなわち、本件補正発明が
「Ａ　遊技球が流下する遊技領域が形成された遊技装置と、
Ｂ　発射操作に基づいて遊技球を発射する遊技球発射装置と、
Ｃ　当該遊技球発射装置から発射された遊技球を前記遊技領域に向けて誘導する誘導部と、
Ｄ　前記遊技球発射装置よりも遊技球の発射方向側に設けられ、前記誘導部を逆流してくる遊技球を回収する回収部と、
Ｇ　前記回収部にて回収した遊技球を前記球受け皿に向けて導く回収側通路部と、」
を備えるのに対し、同日出願発明は該各構成を明示的には備えない点。
　
（イ）相違点２
　両発明に共通する「ベース体」なる構成要素に関し、本件補正発明の構成Ｈでは「前記遊技装置を有する」と、同日出願発明の構成ａでは「遊技が実行される遊技装置を有する」と、それぞれ特定している点。
　
（ウ）相違点３
　両発明に共通する「第１通路部」なる構成要素に関し、本件補正発明の構成Ｊでは「当該遊技機前面ユニットの一部として設けられ、入口部にて受けた遊技球を前記球受け皿に
流出させる
導く
　
（エ）相違点４
　両発明に共通する「第２通路部」なる構成要素に関し、本件補正発明の構成Ｋでは「当該第１通路部よりも上流側を構成し、前記払出装置から払い出された遊技球を前記入口部に
流出させる
導く
　
（６）当審の判断
ア　相違点１について
　本件補正発明が明示的に備える上記構成Ａの「遊技球が流下する遊技領域が形成された遊技装置」、構成Ｂの「発射操作に基づいて遊技球を発射する遊技球発射装置」、構成Ｃの「当該遊技球発射装置から発射された遊技球を前記遊技領域に向けて誘導する誘導部」、構成Ｄの「前記遊技球発射装置よりも遊技球の発射方向側に設けられ、前記誘導部を逆流してくる遊技球を回収する回収部」、構成Ｇの「前記回収部にて回収した遊技球を前記球受け皿に向けて導く回収側通路部」なる各構成はいずれも、本願遡及日においてパチンコ遊技機の多くが備え、多くの特許文献等にも開示された、パチンコ遊技機分野における周知の技術に過ぎない。
　当該各構成が周知であることの裏付けとして、例えば上記刊行物１には、上記３．（３）で認定したとおりの、
「１ａ　遊技球が流下する遊技領域を有する遊技盤５と、
１ｂ　操作レバーの操作により遊技球を発射する打球発射装置４６と、
１ｃ　打球発射装置４６の発射レール２５から発射された遊技球を遊技領域に誘導する誘導レール１３と、
１ｄ　打球発射装置４６の打球発射レール２５よりも遊技球の発射方向側であり該誘導路１３と前記打球発射レール２５との間の領域に位置し、逆流して戻ってくる遊技球を回収する開口と、
・・・
１ｇ　前記開口で回収した遊技球を球受け下皿１０へ放出する、ファール球導出路３１と、
１ｒ　を備えるパチンコ機。」
なる発明（刊行物１発明）が記載され、また、上記刊行物２には、上記３．（４）で認定したとおりの、
「２ａ　遊技球が流下する遊技領域１８ａが形成された遊技盤１８と、
２ｂ　発射操作により遊技球を発射する打球発射装置と、
２ｃ　打球発射装置から発射された遊技球を遊技領域１８ａに向けて誘導する打球誘導通路２４と、
２ｄ　打球発射装置よりも発射方向側に位置し、打球誘導通路２４を逆流してくる遊技球を回収する入口２２ａと、
・・・
２ｇ　前記入口２２ａから回収した遊技球が受け皿７に排出される、ファール球回収回収部２９とファール球通路２２と、
２ｒ　を備える、パチンコ遊技機。」
なる発明（刊行物２発明）が記載されている。
　
　前記刊行物１発明の「遊技盤５」、「操作レバーの操作」、「打球発射装置４６」、「誘導レール１３」、「打球発射装置４６の打球発射レール２５よりも遊技球の発射方向側であり該誘導路１３と前記打球発射レール２５との間の領域」、「開口」、「球受け下皿１０」、「ファール球導出路３１」、「パチンコ遊技機」は、それぞれ本件補正発明の構成Ａ・Ｃ・Ｄ・Ｅの「遊技装置」、「発射操作」、「遊技球発射装置」、「誘導部」、「前記遊技球発射装置よりも遊技球の発射方向側であって前記誘導部を逆流してくる遊技球を回収可能な位置」、「回収部」、「球受け皿」、「回収側通路部」、「遊技機」に相当する。
　また、刊行物２発明の「遊技盤１８」、「遊技領域１８ａ」、「打球発射装置」、「打球誘導通路２４」、「打球発射装置よりも発射方向側にであって、打球誘導通路２４を逆流してくる遊技球を回収する位置」、「入口２２ａ」、「受け皿７」、「ファール球通路２２」、「パチンコ遊技機」は、それぞれ本願発明の「遊技装置」、「遊技領域」、「遊技球発射装置」、「誘導部」、「前記遊技球発射装置よりも遊技球の発射方向側であって前記誘導部を逆流してくる遊技球を回収可能な位置」、「回収部」、「球受け皿」、「回収側通路部」、「遊技機」に相当する。
　
　よって、刊行物１発明、刊行物２発明はいずれも、上記相違点１に係る本件補正発明の前記構成Ａ、Ｂ、Ｃ、Ｄ、Ｇ、Ｒにそれぞれ相当する構成１ａ・２ａ、１ｂ・２ｂ、１ｃ・２ｃ、１ｄ・２ｄ、１ｇ・２ｇ、１ｒ・２ｒを備えている。
　
（ア）まず、同日出願発明を先願とし、本件補正発明を後願とした場合について、検討する。
　同日出願発明に前記周知技術が付加されることによる効果は、発射後誘導部を逆流してくる遊技球（戻り球）を球受け皿へ回収することで、遊技球が発射装置まで戻って発射装置を破損しないようにする点にあるといえるから、払出装置から球受け皿への、遊技機本体内から前扉内部を介した供給路による遊技球の供給において、前扉開放時に遊技球が零れにくくすると共に、遊技球が遊技機外部へ流出してしまうことを抑制するという同日出願発明の効果に対し、新たな効果を奏するものではないことが明らかである。
　このことから、
「遊技球が流下する遊技領域が形成された遊技装置と、
発射操作に基づいて遊技球を発射する遊技球発射装置と、
当該遊技球発射装置から発射された遊技球を前記遊技領域に向けて誘導する誘導部と、
前記遊技球発射装置よりも遊技球の発射方向側に設けられ、前記誘導部を逆流してくる遊技球を回収する回収部と、
前記回収部にて回収した遊技球を前記球受け皿に向けて導く回収側通路部と」
という発明特定事項を備えない同日出願発明から、当該発明特定事項を備える本件補正発明とすることは、単に前記周知技術が付加されたに過ぎない。
　
（イ）次に、本件補正発明を先願とし、同日出願発明を後願とした場合について検討する。
　本件補正発明から前記周知技術が削除されることは、発射後誘導部を逆流してくる遊技球（戻り球）を球受け皿へ回収する手段の存否を問わないことである。しかし、該手段の存否に関わらず、本件補正発明が、払出装置から球受け皿への、遊技機本体内から前扉内部を介した供給路による遊技球の供給において、前扉開放時に遊技球が零れにくくすると共に、遊技球が遊技機外部へ流出してしまうことを抑制するという効果を奏することは明らかであるから、前記周知技術の削除により、同日出願発明が本件補正発明の効果に対し、新たな効果を奏するものではない。
　このことから、
「遊技球が流下する遊技領域が形成された遊技装置と、
発射操作に基づいて遊技球を発射する遊技球発射装置と、
当該遊技球発射装置から発射された遊技球を前記遊技領域に向けて誘導する誘導部と、
前記遊技球発射装置よりも遊技球の発射方向側に設けられ、前記誘導部を逆流してくる遊技球を回収する回収部と、
前記回収部にて回収した遊技球を前記球受け皿に向けて導く回収側通路部と」
という発明特定事項を備える本件補正発明から、当該発明特定事項を備えない同日出願発明とすることは、単に前記周知技術を削除したに過ぎない。
　
（ウ）よって、
「遊技球が流下する遊技領域が形成された遊技装置と、
　発射操作に基づいて遊技球を発射する遊技球発射装置と、
　当該遊技球発射装置から発射された遊技球を前記遊技領域に向けて誘導する誘導部と、
　前記遊技球発射装置よりも遊技球の発射方向側であって前記誘導部を逆流してくる遊技球を回収可能な位置に回収口を有し、その回収した遊技球を前記球受け皿に向けて導く回収通路部と」
という周知の発明特定事項について、同日出願発明から単に削除すること、あるいは、本件補正発明に単に付加することによって技術的意義は変わることがないことから、上記相違点１は実質的な相違点とはいえない。
　
イ　相違点２について
　本件補正発明の構成Ｈの「遊技装置」が「遊技が実行される」ものであることは自明である。よって、本件補正発明は同日出願発明の構成ａの「遊技が実行される遊技装置を有するベース体」に相当する構成を実質的に備えているということができ、上記相違点２は実質的な相違点ではない。
　
ウ　相違点３について
　本件補正発明の構成Ｊにおける「遊技球を前記球受け皿に流出させる」ことと、同日出願発明の構成ｅの「遊技球を前記球受け皿へ導く」こととは、共に遊技球の通路である「第１通路部」の機能についての特定事項であり、遊技球が前記通路から前記球受け皿へ「流出」すれば遊技球は球受け皿上に達するのであるから、前記通路から前記球受け皿に遊技球が「導」かれると言い換えうるのであり、両者の間には「第１通路部」及び「球受け皿」に対する「遊技球」の動態に関し、技術的な差異が存在せず、単なる表現の相違に過ぎないということができる。
　よって、上記相違点３は実質的な相違点ではない。
　
エ　相違点４について
　本件補正発明の構成Ｋにおける「遊技球を前記入口部に流出させる」ことと、同日出願発明の構成ｆの「遊技球を前記入口部に導く」こととは、共に遊技球の通路である「第２通路部」の機能についての特定事項であり、遊技球が前記通路から前記入口部へ「流出」すれば遊技球は該「入口部」に達するのであるから、前記通路から前記入口部に遊技球が「導」かれると言い換えうるのであり、両者の間には「第２通路部」及び「入口部」に対する「遊技球」の動態に関し、技術的な差異が存在せず、単なる表現の相違に過ぎないということができる。
　よって、上記相違点４は実質的な相違点ではない。
　
オ　上記ア〜エのとおりであるから、上記相違点１〜４はいずれも実質的なものではなく、本件補正発明と同日出願発明とは実質同一である。
　
（７）小括
　したがって、上記（１）〜（６）において検討したように、本件補正発明は、同日出願発明と実質的に同一の発明であるから、特許法第３９条第２項の規定により、特許出願の際独立して特許を受けることができない。
４．むすび
　上記３において検討したことからみて、本件補正は、特許法第１７条の２第６項において準用する同法第１２６条第７項の規定に違反するので、同法第１５９条第１項において読み替えて準用する同法第５３条第１項の規定により却下すべきものである。
　
第３．本願発明について
１．本願発明
　上記本件補正は、上記のとおり却下されたので、本願の請求項１に係る発明（以下、「本願発明」という。）は、本願出願時の特許請求の範囲の請求項１に記載された、次のとおりのものである。 （下線は、本件補正発明との相違箇所を示すため当審にて付与。）
「Ａ　遊技球が流下する遊技領域が形成された遊技装置と、
Ｂ　発射操作に基づいて遊技球を発射する遊技球発射装置と、
Ｃ　当該遊技球発射装置から発射された遊技球を前記遊技領域に向けて誘導する誘導部と、
Ｄ　前記遊技球発射装置よりも遊技球の発射方向側に設けられ、前記誘導部を逆流してくる遊技球を回収する回収部と、
Ｅ　前記遊技装置の遊技結果に基づいて遊技球を払い出す払出装置と、
Ｆ　当該払出装置から払い出された遊技球を貯留する球受け皿と、
Ｓ　
前記払出装置から払い出された遊技球を前記球受け皿に向けて導く皿側通路部と、
Ｇ’前記回収部にて回収した遊技球を前記球受け皿に向けて導く回収側通路部と
を備えたこと
Ｒ　を特徴とする遊技機。」
　
２．刊行物
　原査定の拒絶の理由に引用された刊行物１・２に記載された発明は、上記第２の３．（３）・（４）で認定した以下のとおりのものである。
（１）刊行物１に記載された発明
「１ａ　遊技球が流下する遊技領域を有する遊技盤５と、
１ｂ　操作レバーの操作により遊技球を発射する打球発射装置４６と、
１ｃ　打球発射装置４６の発射レール２５から発射された遊技球を遊技領域に誘導する誘導レール１３と、
１ｄ　打球発射装置４６の打球発射レール２５よりも遊技球の発射方向側であり該誘導路１３と前記打球発射レール２５との間の領域に位置し、逆流して戻ってくる遊技球を回収する開口と、
１ｅ　セーフ球入賞時に賞球即ち遊技球を払出す賞球払出し装置と、
１ｆ　賞球払出し装置から払い出された遊技球を貯留する球受け下皿１０と、
１ｓ　賞球払出し装置から払出される賞球を球受け下皿１０へと導く、賞球通路と溢れ球通路７３と、
１ｇ　前記開口で回収した遊技球を球受け下皿１０へ放出する、ファール球導出路３１と、
１ｒ　を備えるパチンコ機。」（刊行物１発明）
　
（２）刊行物２に記載された発明
「２ａ　遊技球が流下する遊技領域１８ａが形成された遊技盤１８と、
２ｂ　発射操作により遊技球を発射する打球発射装置と、
２ｃ　打球発射装置から発射された遊技球を遊技領域１８ａに向けて誘導する打球誘導通路２４と、
２ｄ　打球発射装置よりも発射方向側に位置し、打球誘導通路２４を逆流してくる遊技球を回収する入口２２ａと、
２ｅ　遊技球が遊技領域１８ａ内の所定の入賞口に入って表示装置に特定の図柄が表示される等、所定の入賞状態が発生すると、所定数の遊技球を払い出す遊技球払出し装置３０と、
２ｆ　遊技球払出し装置３０から払い出された遊技球が排出される受け皿７と、
２ｓ　遊技球払出し装置３０から払い出された遊技球を受け皿７に排出する払出し球通路２１と、
２ｇ　前記入口２２ａから回収した遊技球が受け皿７に排出される、ファール球回収回収部２９とファール球通路２２と、
２ｒ　を備える、パチンコ遊技機。」（刊行物２発明）
　
３．対比・判断
（１）刊行物１発明との対比・判断
　刊行物１発明の「遊技盤５」、「操作レバーの操作」、「打球発射装置４６」、「誘導レール１３」、「打球発射装置４６の打球発射レール２５よりも遊技球の発射方向側であり該誘導路１３と前記打球発射レール２５との間の領域」、「開口」、「賞球払出し装置」、「球受け下皿１０」、「賞球通路と溢れ球通路７３」、「ファール球導出路３１」、「パチンコ遊技機」は、それぞれ本願発明の「遊技装置」、「発射操作」、「遊技球発射装置」、「誘導部」、「前記遊技球発射装置よりも遊技球の発射方向側であって前記誘導部を逆流してくる遊技球を回収可能な位置」、「回収部」、「払出装置」、「球受け皿」、「皿側通路部」、「回収側通路部」、「遊技機」に相当する。
　よって、刊行物１発明の構成１ａ〜１ｇ、１ｓ、１ｒはそれぞれ、本願発明の構成Ａ〜Ｇ’、Ｓ、Ｒと一致し、本願発明と刊行物１発明との間に相違点はない。
　
　したがって、本願発明は、刊行物１発明と同一であり、刊行物１に記載された発明であるといえる。
　
（２）刊行物２発明との対比・判断
　刊行物２発明の「遊技盤１８」、「遊技領域１８ａ」、「打球発射装置」、「打球誘導通路２４」、「打球発射装置よりも発射方向側にであって、打球誘導通路２４を逆流してくる遊技球を回収する位置」、「入口２２ａ」、「遊技球払出し装置３０」、「受け皿７」、「球通路２１」、「ファール球通路２２」、「パチンコ遊技機」は、それぞれ本願発明の「遊技装置」、「遊技領域」、「遊技球発射装置」、「誘導部」、「前記遊技球発射装置よりも遊技球の発射方向側であって前記誘導部を逆流してくる遊技球を回収可能な位置」、「回収部」、「払出装置」、「球受け皿」、「皿側通路部」、「回収側通路部」、「遊技機」に相当する。
　よって、刊行物２発明の構成２ａ〜２ｇ、２ｓ、２ｒはそれぞれ、本願発明の構成Ａ〜Ｇ’、Ｓ、Ｒと一致し、本願発明と刊行物２発明との間に相違点はない。
　
　したがって、本願発明は、刊行物２発明と同一であり、刊行物２に記載された発明であるといえる。
　
４．むすび 
　以上のとおり、本願発明は、刊行物１または２に記載された発明であり、特許法第２９条第１項第３号の規定により特許を受けることができないものである。 
　また、仮に刊行物１発明または刊行物２発明が本願発明と相違するとしても微差であり、本願発明は刊行物１発明または刊行物２発明に基づいて当業者が容易に発明することができたものであるから、特許法第２９条第２項の規定により特許を受けることができない。
　
　したがって、本願は拒絶すべきものである。
　
　よって、結論のとおり審決する。